(57)【要約】【課題】  商品の大きさや形状を問わず収納でき、保冷性・保温性を有する手提げ袋を提供すること。【解決手段】  この手提げ袋１００は、四角形状をした風呂敷状本体１の四隅にアール２を設け且つ当該風呂敷状本体１の周縁に小穴４を多数設けて当該小穴４に紐６を通す。風呂敷状本体１の内側には保冷剤等を入れる収納ポケット１１を設ける。また、この風呂敷状本体１が耐久性シート１０からなる層を有し、当該耐久性シート１０は好ましくは保冷・保温シートとする。弁当や刺身等のパックを平らに載せ、風呂敷状本体１の両側にある前記紐６を引っ張り、風呂敷状本体１の周囲を立ち上げて前記商品を包み、紐６の端同士を結ぶ。これにより、風呂敷状本体１が手提げ袋１００になる。【選択図】図１
0003146686.tif 000002
【実用新案登録請求の範囲】
【請求項１】
風呂敷状本体の内側にポケットを有すると共に当該風呂敷状本体の少なくとも内側が撥水面となり、前記風呂敷状本体の周縁またはその近傍に紐またはリングを係止する係止部を複数備えたことを特徴とする手提げ袋。
【請求項２】
多角形状をした風呂敷状本体の内側にポケットを設けると共に当該風呂敷状本体の少なくとも内側が撥水面となり、前記風呂敷状本体の周縁またはその近傍に紐またはリングを係止する係止部を複数備えたことを特徴とする手提げ袋。
【請求項３】
四角形状をした風呂敷状本体の四隅にアールを設けると共に、風呂敷状本体の内側にポケットが設けられ、且つ当該風呂敷状本体の少なくとも内側が撥水面となり、前記風呂敷状本体の周縁またはその近傍に紐またはリングを係止する係止部を複数備えたことを特徴とする手提げ袋。
【請求項４】
風呂敷状本体の内側にポケットを有すると共に当該風呂敷状本体の内側に撥水シートを着脱自在に設け、前記風呂敷状本体の周縁またはその近傍に紐またはリングを係止する係止部を複数備えたことを特徴とする手提げ袋。
【請求項５】
多角形状をした風呂敷状本体の内側にポケットを設けると共に当該風呂敷状本体の内側に撥水シートを着脱自在に設け、前記風呂敷状本体の周縁またはその近傍に紐またはリングを係止する係止部を複数備えたことを特徴とする手提げ袋。
【請求項６】
四角形状をした風呂敷状本体の四隅にアールを設けると共に、風呂敷状本体の内側にポケットが設けられ、且つ当該風呂敷状本体の内側に撥水シートを着脱自在に設け、前記風呂敷状本体の周縁またはその近傍に紐またはリングを係止する係止部を複数備えたことを特徴とする手提げ袋。
【請求項７】
さらに、前記風呂敷状本体が耐久性シートからなる層を有することを特徴とする請求項１〜６のいずれか一つに記載の手提げ袋。
【請求項８】
さらに、前記撥水面は、保冷・保温シートからなることを特徴とする請求項１〜３のいずれか一つに記載の手提げ袋。
【考案の詳細な説明】
【技術分野】
【０００１】  本考案は、スーパーなどで買い物をした際に商品等を包むための手提げ袋に関するものである。
【背景技術】
【０００２】  従来からスーパー等で購入した商品を持ち帰る際、レジでもらった使い捨てのポリプロピレンの袋を用いていた。また、最近では、環境問題から各自が布やナイロン製のエコバックをスーパーに持参し、購入した商品をこの持参したエコバックを用いて持ち帰るようになってきた。
【考案の開示】
【考案が解決しようとする課題】
【０００３】  このようなエコバックの袋の底やマチ部分の大きさは様々であるが、商品の大きさや形状によっては好ましい状態で収納できない場合がある。例えば、弁当やケーキ等は中身が崩れないように横にして収納するのが好ましいが、従来の標準的なエコバックでは、縦または斜めにしか収納できなかった。【０００４】  また、従来のエコバックは、その性格上、一枚布で製作した簡単な構造のものが多く、保冷性、保温性を備えたものは殆どなかった。
【課題を解決するための手段】
【０００５】  そこで、この考案にかかる手提げ袋は、風呂敷状本体の内側にポケットを有すると共に当該風呂敷状本体の少なくとも内側が撥水面となり、前記風呂敷状本体の周縁またはその近傍に紐またはリングを係止する係止部を複数備えたことを特徴とする。【０００６】  つぎの考案にかかる手提げ袋は、多角形状をした風呂敷状本体の内側にポケットを設けると共に当該風呂敷状本体の少なくとも内側が撥水面となり、前記風呂敷状本体の周縁またはその近傍に紐またはリングを係止する係止部を複数備えたことを特徴とする。【０００７】  つぎの考案にかかる手提げ袋は、四角形状をした風呂敷状本体の四隅にアールを設けると共に、風呂敷状本体の内側にポケットが設けられ、且つ当該風呂敷状本体の少なくとも内側が撥水面となり、前記風呂敷状本体の周縁またはその近傍に紐またはリングを係止する係止部を複数備えたことを特徴とする。【０００８】  つぎの考案にかかる手提げ袋は、風呂敷状本体の内側にポケットを有すると共に当該風呂敷状本体の内側に撥水シートを着脱自在に設け、前記風呂敷状本体の周縁またはその近傍に紐またはリングを係止する係止部を複数備えたことを特徴とする。【０００９】  つぎの考案にかかる手提げ袋は、多角形状をした風呂敷状本体の内側にポケットを設けると共に当該風呂敷状本体の内側に撥水シートを着脱自在に設け、前記風呂敷状本体の周縁またはその近傍に紐またはリングを係止する係止部を複数備えたことを特徴とする。【００１０】  つぎの考案にかかる手提げ袋は、四角形状をした風呂敷状本体の四隅にアールを設けると共に、風呂敷状本体の内側にポケットが設けられ、且つ当該風呂敷状本体の内側に撥水シートを着脱自在に設け、前記風呂敷状本体の周縁またはその近傍に紐またはリングを係止する係止部を複数備えたことを特徴とする。【００１１】  つぎの考案にかかる手提げ袋は、上記考案において、さらに、前記風呂敷状本体が耐久性シートからなる層を有することを特徴とする。【００１２】  つぎの考案にかかる手提げ袋は、上記考案において、さらに、前記撥水面は、保冷・保温シートからなることを特徴とする。
【考案の効果】
【００１３】  この考案にかかる手提げ袋によれば、簡単な構造で、弁当等の商品を好ましい状態で収納でき且つ保冷性および保温性を持たせることができる。
【考案を実施するための最良の形態】
【００１４】（実施の形態１）
図１は、この考案の実施の形態１にかかる手提げ袋を示す平面図である。図２は、図１のＡ−Ａ断面図である。図３は、図１に示した手提げ袋の裏面図である。この手提げ袋１００は、風呂敷状本体１の四隅にアール２を設け、風呂敷状本体１の周縁をテープ３で縁取る。このテープ３は、例えば、平テープやバイアステープである。前記アール２は、手提げ袋１００を使用する際に四隅に角があるとうまく袋状に変形せず角が飛び出たりするためである。このアール２の径は、風呂敷状本体１の一辺の長さの４分の１程度である。なお、風呂敷状とは、物を包む一枚布をいう。【００１５】  また、このテープ３上に係止部となる複数の小穴４を設け、この各小穴４に対し、ハトメを取り付ける。風呂敷状本体１の対向する二辺の中央には、それぞれ持ち手５を設ける。更に、左右側の持ち手５から持ち手５の間において、前記小穴４に対して紐６を上下方向から交互に通し、抜けないように当該紐６の両端を結ぶか或いは固定具７を取り付ける。【００１６】  風呂敷状本体１は、二重構造となっている。外側となる外生地８には、所定の柄や絵等がデザインされたプリント生地やチェック生地等の薄手の布を用い、風呂敷状本体１の内側となる内生地９には無地等の薄手の布ものを用いる。素材は、外生地８に綿生地を用いる。また、用途やデザイン等に応じて、ポリエステル、ウール、シルク、ベルベット等を適宜選択できる。【００１７】  一方、内生地９には、風呂敷状本体１の内側に撥水面を構成するため、撥水性のポリエステル生地を用いる。撥水性があれば、綿等の非撥水性の生地の表面に撥水コーティングを施したものでも良い。また、内生地９には、ポリウレタンを含浸剤としたポリエステルと綿との綾織り布、帆布、強撚糸ナイロン布等にポリウレタンを含浸させたものでも構成できる。更に、内生地９には、保温・保冷シートを用いることもできる。保温・保冷シートは、例えばシルバーコートやアルミ蒸着された表地と、ＰＰフィルムやアルミニウムフィルムからなる中地と、ポリエステル綿からなる中綿とで構成したものを用いる。保温・保冷シートの表地により撥水性が得られると共に、ポリエステル綿の空気層により断熱効果が得られる。【００１８】  また、外生地８および内生地９との間には、耐久性シート１０を設けてもよい（図１では点線で示す）。この耐久性シート１０は、帆布、強撚糸ナイロン布等である。外生地８と内生地９との二枚合わせとし、その間に耐久性シート１０を設けることで、風呂敷状本体１の全体の耐久性が向上する。耐久性シート１０は、風呂敷状本体１の一部に設けることもできる。また、メッシュ状や多数の穿孔がされたものを用いれば、折り畳みやすくなる。また、耐久性シート１０として、上記保温・保冷シートを用いることもできる。【００１９】  風呂敷状本体１の裏面中央には、夏場であれば保冷剤、冬場であれば使い捨てカイロ等を入れるための収納ポケット１１が設けられている。当該収納ポケット１１は、裏面と同じ生地で構成しても良いし、異なる生地でもよい。保冷剤を当該収納ポケット１１に入れ、風呂數状本体１で商品の全体を包むようにすれば、保温・保冷バックとして機能する。【００２０】  また、風呂敷状本体１の表面であって前記持ち手５を設けた二辺のうちの一辺側中央には、小物を収納できるポケット１５が設けられている。このポケット１５を比較的大きくすることで、風呂敷状本体１全体を折りたたんで収納することもできる。更に、風呂敷状本体１の表面であって前記持ち手５を設けた二辺のうちの他辺側中央には、外生地８と同じ生地からなる帯状バンド１６が設けられている。この帯状バンド１６は、本体１との取付側にホック雄部１７を、先端にホック雌部１８を有する。【００２１】  また、この実施の形態１にかかる手提げ袋１００に用いたホックは、面テープにより代替できる。【００２２】  図４および図５は、この手提げ袋の使用状態を示す説明図である。寿司や弁当等の商品を購入してこれを持ち帰る際、風呂敷状本体１を展開し、この風呂敷状本体１の中央に向けた収納ポケット１１に保冷剤を入れる。この保冷剤はあらかじめ持参して当該収納ポケット１１に入れておいても良い。そして、その上から商品を載せる。例えば、弁当や刺身等のパックを平らに載せる。次に、風呂敷状本体１の両側にある前記紐６の結び目或いは固定具７を引っ張り、図４に示すように、風呂敷状本体１の周囲を立ち上げて前記商品を包むようにし、紐６の端同士を結ぶ。これにより、風呂敷状本体１が手提げ袋１００になる。このように、風呂敷状本体１により商品を包むようにすれば、弁当等の縦や斜めに収納したくない商品を横置きでそのまま収納することができ、収納できる形や大きさの自由度が大きい。【００２３】  この手提げ袋１００は、保冷剤を収納ポケット１１に入れてあり、その上に商品を置くことになるので、商品自体を冷たい状態に保持できる。また、風呂敷状本体１の内生地９は撥水性の生地であるため、結露が生じても手提げ袋１００の外側が濡れるようなことはない。また、風呂敷状本体１に耐久性シート１０を介装した場合、焼き鳥の串等が手提げ袋１００を突き破るようなことがなくなる。【００２４】  一方、図５に示すように、この手提げ袋１００を携帯する場合は、持ち手５が上になるような状態で風呂敷状本体１を折り畳み、この折り畳んだ風呂敷状本体１を前記帯状バンド１６で巻き、固定する。具体的には、帯状バンド１６を風呂敷状本体１の周囲にぐるりと巻き付け、先端のホック雌部１８をホック雄部１７に取り付ける。これにより、手提げ袋１００をコンパクトにでき、携帯しやすくできる。【００２５】  次に、上記実施の形態１の変形例を示す。図６は、実施の形態１にかかる手提げ袋を示す平面図である。図７は、図６に示した手提げ袋の断面図である。この手提げ袋１５０は、上記手提げ袋１００の風呂敷状本体１５１が単層となり、且つ撥水シート１２を着脱自在に設けた点に特徴があり、その他の構成は実施の形態１の手提げ袋１００と同じである。外生地８は、上記同様、所定の柄や絵等がデザインされたプリント生地やチェック生地等の薄手の布を用いる。素材は、外生地８に綿生地を用い、用途やデザイン等に応じて、ポリエステル、ウール、シルク、ベルベット等を適宜選択できる。【００２６】  また、風呂敷状本体１５１の内側には、撥水シート１２が着脱自在に設けられている。風呂敷状本体１５１の内側であって前記持ち手５を設けた二辺中央には、前記撥水シート１２を取り付けるホック雌部１３が設けられている。好ましくは、当該位置の前記テープ３上に当該ホック雌部１３を設ける。撥水シート１２は、購入した商品を載せ易いように、長方形の長辺が一部外側に膨らんだ形状となる。短辺側には、前記ホック雌部１３に対応したホック雄部１４が設けられている。撥水シート１２には、例えばポリウレタンを含浸剤としたポリエステルと綿との綾織り布を用いる。この撥水シート１２は、耐久性シートを兼用することで、風呂敷状本体１５１を保護する役割も有する。例えば商品の角や串等により風呂敷状本体１５１を傷つけるのを防止できる。かかる耐久性シートを兼用する撥水シート１２は、例えば上記帆布、強撚糸ナイロン布等にポリウレタンを含浸させたもので構成できる。【００２７】  この手提げ袋１５０は、風呂敷状本体１５１が単層構造なので、折りたたみが簡単である。また、必要に応じて撥水シート１２を取り付けることで、袋内が濡れる可能性が高い商品を包むことができる。【００２８】（実施の形態２）
図８は、この考案の実施の形態２にかかる手提げ袋を示す平面図である。図９は、図８に示した手提げ袋の断面図である。この手提げ袋２００は、風呂敷状本体２０１が多角形となる点が上記実施の形態１の風呂敷状本体１と異なる。この手提げ袋２００は、風呂敷状本体２０１が二重構造であって、その外生地および内生地は実施の形態１と同じものを用いる。当該内生地が、風呂敷状本体１の内側に撥水面を構成する。また、実施の形態１と同様に、外生地と内生地との間に耐久性シートを設けてもよい。また、内生地には、上記保温・保冷シートを用いることもできる。また、風呂敷状本体２０１の内側（内生地の表面）であってその中央には、夏場であれば保冷剤、冬場であれば使い捨てカイロ等を入れるための収納ポケット２１１が設けられている。保冷剤を当該収納ポケット２１１に入れ、風呂敷状本体２０１で商品の全体を包むようにすれば、保温・保冷バックとして機能する。【００２９】  図９は、持ち手を示す平面図である。この持ち手２０５は一部に連結部２０７を備えた環状体である。連結部２０７は、例えば図９に示すように、環状体の一端に突出した芯棒２７１と、他端に前記芯棒を挿入する穴２７２とから構成される。なお、連結部２０７の構造は簡単に構成でき、前記リング２０４に挿入しやすいものであれば、かかる構造に限定されない。【００３０】  図１０は、この手提げ袋の使用状態を示す説明図である。寿司や弁当等の商品を購入してこれを持ち帰る際、風呂敷状本体２０１を展開し、この風呂敷状本体２０１の中央に向けた収納ポケット２１１に保冷剤を入れる。この保冷剤はあらかじめ持参して当該収納ポケット２１１に入れておいても良い。そして、その上から商品を載せる。例えば、弁当や刺身等のパックを平らに載せる。次に、風呂敷状本体２０１の周囲を立ち上げて前記商品を包むようにし、前記リング２０４の全てに前記持ち手２０５を通し、当該持ち手２０５の連結部２０７を連結する。これにより、風呂敷状本体２０１が手提げ袋２００になる。【００３１】  この手提げ袋２００は、保冷剤を収納ポケット２１１に入れてあり、その上に商品を置くことになるので、商品自体を冷たい状態に保持できる。また、風呂敷状本体２１１の内生地は撥水性の生地であるため、結露が生じても手提げ袋の外側が濡れるようなことはない。風呂敷状本体２１１の耐久性シートに保温・保冷シートを用いた場合は、更に保冷効果が増す。また、風呂敷状本体２１１に耐久性シートを介装した場合、焼き鳥の串等が手提げ袋を突き破るようなことがなくなる。【００３２】  なお、上記風呂敷状本体２０１は、円形であっても良い。その場合、前記短帯２０６は、円形周縁に均等に設けられる。なお、前記持ち手２０５は紐からなる環状体でもよい。【００３３】  次に、上記実施の形態２の変形例を示す。図１１は、実施の形態２の変形例にかかる手提げ袋を示す平面図である。この手提げ袋２５０は、上記手提げ袋２００の風呂敷状本体２０１が外生地のみの単層となり、且つ撥水シート２１２を着脱自在に設けた点に特徴があり、その他の構成は実施の形態２の手提げ袋２００と同じである。外生地は、上記同様、所定の柄や絵等がデザインされたプリント生地やチェック生地��の薄手の布を用いる。素材は、外生地に綿生地を用い、用途やデザイン等に応じて、ポリエステル、ウール、シルク、ベルベット等を適宜選択できる。【００３４】  風呂敷状本体２０１の内側には、当該風呂敷状本体２０１と相似形の撥水シート２１２が着脱自在に設けられている。この撥水シートに２１２は、耐久性シートとしての機能を持つものを選択しても良い。また、風呂敷状本体２０１の周縁はテープ２０３で縁取られ、また、風呂敷状本体２０１の各角２０２には、短帯２０６を介して係止部となるリング２０４が設けられている。【００３５】  風呂敷状本体２０１の内側であって各辺中央には、前記撥水シート２１２を取り付けるホック雌部（図示省略）が設けられている。撥水シート２１２には、前記ホック雌部１３に対応したホック雄部２１４が設けられている。撥水シート２１２には、例えばポリウレタンを含浸剤としたポリエステルと綿との綾織り布を用いる。また、この撥水シート２１２は、耐久性シートを兼用することで、風呂敷状本体２０１を保護する役割も有する。例えば商品の角や串等により風呂敷状本体２０１を傷つけるのを防止できる。かかる耐久性シートを兼用する撥水シート２１２は、例えば上記帆布、強撚糸ナイロン布等にポリウレタンを含浸させたもので構成できる。【００３６】  この手提げ袋２５０は、風呂敷状本体２０１が単層構造なので、折りたたみが簡単である。また、必要に応じて撥水シート１２を取り付けることで、袋内が濡れる可能性が高い商品を包むことができる。
【図面の簡単な説明】
【００３７】
【図１】  この考案の実施の形態１にかかる手提げ袋を示す平面図である。
【図２】  図１のＡ−Ａ断面図である。
【図３】  図１に示した手提げ袋の裏面図である。
【図４】  この手提げ袋の使用状態を示す説明図である。
【図５】  この手提げ袋の使用状態を示す説明図である。
【図６】  実施の形態１にかかる手提げ袋を示す平面図である。
【図７】  図６に示した手提げ袋の断面図である。
【図８】  この考案の実施の形態２にかかる手提げ袋を示す平面図である。
【図９】  図８に示した手提げ袋の断面図である。
【図１０】  この手提げ袋の使用状態を示す説明図である。
【図１１】  実施の形態２の変形例にかかる手提げ袋を示す平面図である。
【符号の説明】
【００３８】１００  手提げ袋
１  風呂敷状本体
２  アール
３  テープ
４  小穴
５  持ち手
６  紐
８  外生地
９  内生地
１１  収納ポケット
１２  撥水シート
【図１】
0003146686.tif 000003
【図２】
0003146686.tif 000004
【図３】
0003146686.tif 000005
【図４】
0003146686.tif 000006
【図５】
0003146686.tif 000007
【図６】
0003146686.tif 000008
【図７】
0003146686.tif 000009
【図８】
0003146686.tif 000010
【図９】
0003146686.tif 000011
【図１０】
0003146686.tif 000012
【図１１】
0003146686.tif 000013